(57)【要約】【課題】妊婦用として腹部を圧迫することなく健診時にも脱衣する必要のないマタニティワンピースを提供することである。【解決手段】この考案のマタニティワンピースは、トップ部１０と、スカート部２０と、それらを接続する伸縮自在のウエスト帯３０より成る。前記トップ部１０の前身頃はウエスト帯３０に縫着されておらず、後身頃はウエスト帯３０に縫着されている。そしてトップ部１０の裾布１２はウエスト帯３０よりも下方に延び自由端を形成して捲り上げることができるようになっている。【選択図】図１
0003205123.tif 000002
【実用新案登録請求の範囲】
【請求項１】
トップ部と、スカート部と、このスカート部の上端全周にわたって形成され、前記トップ部に接続された伸縮自在のウエスト帯より成るワンピースにおいて、前記トップ部の後身頃に対応する部分の下端縁はウエスト帯に固着され、前記トップ部の前身頃に対応する部分の裾部はウエスト帯から分離されてウエスト帯より下方にスカート部と重なり合うように延びて自由端を形成したことを特徴とするマタニティワンピース。
【請求項２】
前記トップ部の前身頃は、袖無し形状の身上布と、その下端縁に接続された長方形状の裾布より成り、この裾布は前記ウエスト帯よりも下方に延びる自由端となって前記裾部を形成する請求項１に記載のマタニティワンピース。
【請求項３】
前記スカート部は、前面布と後面布を筒形に接続したスカートより成る請求項１または２に記載のマタニティワンピース。
【請求項４】
前記ウエスト帯は、前記スカート部の上端全周に形成された中空環状通路と、この通路の全長にわたって通路内に挿入されたゴム紐より成り、そのゴム紐の長さが調節可能になっている請求項１〜３のいずれかに記載のマタニティワンピース。
【考案の詳細な説明】
【技術分野】
【０００１】
この考案は、妊婦の着用に好適なワンピースに関する。
【背景技術】
【０００２】
通常のワンピースは、言うまでもなく上着とスカートが一連に形成されているため、腹部によほど余裕を持たせて縫製しない限り、妊婦用としては本来適したものではない。特に上着が腹部にぴったり密着すると、圧迫感を覚えるほかに視覚的にも好ましくない。何よりも、健診を受ける際に、ワンピースを着脱する必要があって非常に面倒である。
【考案の概要】
【考案が解決しようとする課題】
【０００３】
そこで、この考案の課題は、妊婦用ワンピースとして腹部を圧迫することなく健診時にも着脱する必要がないようにすることである。
【課題を解決するための手段】
【０００４】
上記の課題を解決するため、この考案は、トップ部と、スカート部と、このスカート部の上端全周にわたって形成され、前記トップ部に接続された伸縮自在のウエスト帯より成るワンピースにおいて、前記トップ部の後身頃に対応する部分の下端縁はウエスト帯に固着され、前記トップ部の前身頃に対応する部分の裾部はウエスト帯から分離されてウエスト帯より下方にスカート部と重なり合うように延びて自由端を形成したことを特徴とする構成を採用したのである。
【０００５】
前記トップ部の前身頃を、袖無し形状の身上布とその下端縁に接続された長方形状の裾布によって形成し、この裾布を前記ウエスト帯よりも下方に延ばして自由端にしておくのがよい。また、前記スカート部を前面布と後面布とを筒形にしたスタイルにすることができる。さらに、前記ウエスト帯は、前記スカート部の上端全周に設けられた中空環状通路と、この通路の全長にわたって通路内に挿入されたゴム紐によって形成し、ゴム紐の長さを調節可能にしておくことができる。
【考案の効果】
【０００６】
この考案によれば、以上のように、トップ部の前身頃をスカート部に固着せずに分離し、このフリーになった裾部をウエスト帯よりも下方に延ばして自由端としたので、ワンピースの前身頃が妊婦の腹部を圧迫せず、かつゆったりした着用感を与えるので外観的にも好ましく、さらに健診時には裾部を手で持って前身頃を捲り上げることにより、ワンピースを装着したままで腹部を現わすことができる。
【図面の簡単な説明】
【０００７】
【図１】この考案のワンピースの正面図、
【図２】同上の背面図、
【図３】同上の側面図、
【図４】ウエスト帯を示す部分拡大平面図、
【図５】ウエスト帯のゴム紐の調節手段を示す縦断面図、
【図６】ワンピースの使用状態の一例を示す側面図である。
【考案を実施するための形態】
【０００８】
以下、この考案の実施形態を添付図面に基づいて説明する。図１乃至図３に示すように、この考案のマタニティワンピースは、トップ部１０と、スカート部２０と、これらを接続するウエスト帯３０より成る。トップ部１０は袖無し形態になっており、脇下に沿った縦縫着線１０ａ、１０ａから前面に形成された前身頃は、アンダーバスト周辺から肩まで延びる一対の略截頭山形状身上布１１、１１と、この両身上布１１、１１の下端に沿って縫着された４角形状の裾布１２より成り、この裾布１２はウエスト帯３０に縫着されず点線で示すようにウエスト帯３０よりも下方に延び、この点線部分は自由端になっている。また、前記身上布１１、１１は、ネックライン１１ａ、１１ａの下端部分で重なり合っている。前記縦縫着線１０ａ、１０ａよりも背面側の後身頃は、一枚の背面布１３によって形成され、その上端の両側は、前記前身頃の身上布１１、１１の先端と縫着され、背面布１３の両側上半部は開放され、両側下半部は身上布１１、１１の下側側縁１１ｃ、１１ｃ及び裾布１２の上側側縁１２ａ、１２ａ（身上布１１、１１の下端縁とウエスト帯３０の上端縁との間の側縁）とそれぞれ縦縫着線１０ａ、１０ａによって接続されている。そして、背面布１３と身上布１１、１１の開放された両側上半部は、腕通し口１１ｂ、１１ｂを形成している。さらに、背面布１３の下端縁はウエスト帯に固着されている。従ってトップ部１０の後身頃に対応する下端縁はウエスト帯３０に固着されており、前身頃に対応する下端縁はウエスト帯３０から分離していることになる。
【０００９】
前記スカート部２０は、前面布２１と後面布２２の両側縁を前記縦縫着線１０ａ、１０ａに続く縦縫着線１０ｂ、１０ｂにより接合して筒状体を形成したものであって、この筒状体の上端縁全周にウエスト帯３０が形成されている。
【００１０】
前記ウエスト帯３０は、図４及び図５に示すように、前記スカート部２０の上端縁全周に連続して形成された中空環状通路３１の全長にわたって広幅（例えば１０〜３０ｍｍ幅）の帯状ゴム紐３２を無端状態で挿入したものである。この通路３１の腹部中央に対応する位置に、ゴム紐３２の取出口３１ａが設けられ、この取出口３１ａの近辺にボタン３３が取り付けられている。一方前記ゴム紐３２には、多数のボタン穴３２ａが等間隔に設けられており、前記通路３１の取出口３１ａからこのゴム紐３２を図４のようにループ状に引き出し、図５（Ａ）のようにこのループ３２ｂのボタン穴３２ａを重ね合せてボタン３３を挿入し止着する。図５（Ｂ）に示すように、ゴム紐３２を取出口３１ａから長く取り出してループ３２ｂを大きくし、前記と同様にボタン３３で止着すると、ゴム紐３２のウエスト廻りの実効長さが短くなるため、ウエスト廻りの緊張度が大きくなり、逆に、図５（Ａ）のようにループ３２ｂを小さくすると、ウエスト廻りの緊張度が小さくなる。従って、妊婦のウエスト廻りに応じてゴム紐３２の緊張度を適度に調節することができる。
【００１１】
上記のようなワンピースを着用する場合、通常のワンピースと同様に、スカート部２０の下端から身体の頭部を押し入れて、両腕を身体両側に沿わせた状態で身体の胴部に沿って下方に押し下げ、トップ部１０のネックライン１１ａ、１１ａの間から頭部を突き出すと共に両腕をそれぞれ腕通し口１１ｂ、１１ｂから外に出す。このようにしてワンピースを着用後に、例えば健診を受ける際に、腹部を露出する必要が生じた場合には、図６に示すように、ベッドＢに仰臥した状態で、自由端になっている裾布１２を両手Ｈで持ってバストの方向に前身頃を捲り上げると、腹部Ｆが露出する。勿論椅子に座った状態でも同様の操作を行なうことができる。このような操作を容易にするため、ワンピースは伸縮性の良好な織布や編成布で形成するのが好ましい。
【００１２】
この考案のワンピースは、上述の実施形態に限定されない。例えばトップ部１０の身上布１１、１１を二枚の生地を用いて形成したが、勿論一枚の生地によって形成することができる。その場合はネックラインは連続したものとなる。そしてトップ部１０の身上布１１と裾布１２を連続した一枚の生地によって形成することも可能である。また、トップ部１０を袖無しの形態にしたが短袖等にすることもできる。一方、スカート部２０は、筒形スタイルにしたがその他の種々のタイプのスカートを採用することができる。またウエスト帯３０のゴム紐３２の長さを調整する手段として、ボタン３３とボタン穴３２ａを用いたが、クリップのような挟持具によってループ３２ｂを挟むようにしてもよい。その場合ボタン穴３２ａは必要でない。
【００１３】
前記裾布１２は、スカート部２０内にタックイン（ｔａｃｋ  ｉｎ）してもよいし、場合によってはオーバラップ（ｏｖｅｒｌａｐ）して用いることができる。また、トップ部１０に重ねてブラウスやカーデガン等の上着を着用することができる。
【符号の説明】
【００１４】
１０  トップ部
１０ａ、１０ｂ  縦縫着線
１１  身上布
１１ａ  ネックライン
１１ｂ  腕通し口
１１ｃ  身上布の側縁
１２  裾布
１２ａ  側縁
１３  背面布
２０  スカート部
２１  前面布
２２  後面布
３０  ウエスト帯
３１  通路
３１ａ  取出口
３２  ゴム紐
３２ａ  ボタン穴
３２ｂ  ループ
３３  ボタン
Ｂ  ベッド
Ｆ  腹部
Ｈ  手
【図１】
0003205123.tif 000003
【図２】
0003205123.tif 000004
【図３】
0003205123.tif 000005
【図４】
0003205123.tif 000006
【図５】
0003205123.tif 000007
【図６】
0003205123.tif 000008